(57)【要約】      （修正有）【課題】夏期のズボンや帽子の着用は、日射しや体温などの温度上昇により、ズボン内や帽子内は汗や匂いが滞り、蒸れや不快感を伴うことを解決し、着脱でき宝石風装飾体でオリジナル模様やイニシアルなどの文字や動植物のイラストやキャラクターが創作できる、通気孔を有す着脱可能な通気体を提供する。【解決手段】衣服１の任意箇所に不定形状の衣服側通気孔４を設け、衣服側通気孔４の周囲側に面ファスナー雌５を固着し装飾枠３とする。面ファスナー雌５に着脱される面ファスナー雄を装飾蓋の周囲側に取付ける。面ファスナー雄の内側部分にネットを設け、ネットに宝石風装飾体を取付ける。【選択図】図１
0003166330.tif 000002
【実用新案登録請求の範囲】
【請求項１】
衣服の任意箇所に不定形状の衣服側通気孔と、該衣服側通気孔の周囲に面ファスナー雌を固着した装飾枠とし、前記面ファスナー雌に着脱される面ファスナー雄を周囲側に設け、且つ内側部分にネットを有し装飾蓋としたことを特徴とする、
通気孔を有す着脱可能な通気体。
【請求項２】
前記ネットが十字に交叉した箇所に、裏面側は支持体に十字の切り込みを設けネットに嵌合し、表面側は宝石風装飾体とし装飾蓋となることを特徴とする、請求項１に記載の通気孔を有す着脱可能な通気体。
【請求項３】
前記ネットが交叉してつくられ網目に、裏面側は支持体の先端部を膨大化してネットに嵌め込み、表面側は宝石風装飾体とし装飾蓋となることを特徴とする、請求項１に記載の通気孔を有す着脱可能な通気体。
【請求項４】
衣服の任意箇所に不定形状の衣服側通気孔と、該衣服側通気孔の外周に縫い代を備え、内側部分にネットを有した装飾枠としたことを特徴とする、請求項１から請求項３のいづれかに記載の通気孔を有す着脱可能な通気体。
【請求項５】
衣服の任意箇所に不定形状の衣服側通気孔を設け、該衣服側通気孔の外周に熱着できる布帯を備え、内側部分にネットを有した装飾枠としたことを特徴とする、請求項１から請求項３のいづれかに記載の通気孔を有す着脱可能な通気体。
【請求項６】
ズボンのベルト位置の内側と着衣の間に、通気孔を有す波板状通気体と、該波板状通気体をズボンの縁に係止できるフックとを設けたことを特徴とする、通気孔を有す着脱可能な通気体。
【考案の詳細な説明】
【技術分野】
【０００１】
本考案はズボンやシャツ、スポーツウエア、帽子、靴、手袋などに通気孔を設け,着脱できオリジナルの装飾もでき通気体となる装飾蓋に関する。
【背景技術】
【０００２】
地球温暖化が進み日本の夏は亜熱帯化し、ズボンを着用する人にとって梅雨から秋口まで、ズボン内の温度や湿度が上昇し蒸れ、発汗し暑く匂いの原因やアセモ、皮膚病の原因となったりしている。
【先行技術文献】
【特許文献】
【０００３】
【特許文献１】出願番号  実願平９−５８３１
【０００４】
前記特許文献１の開閉蓋付穴あきズボンは、ズボンの左右の大腿部付近に金具を設け通気孔としたもので、金具の上側位置にボタンや糸で布地に開閉蓋を固定させたものである。金具は洗濯や発汗により錆びやすく、座った時に大腿部に硬い金具があたり痛みを伴う。洗濯後の乾燥で開閉蓋は皺になりやすい欠点がある。
【考案の概要】
【考案が解決しようとする課題】
【０００５】
本考案の目的は、身体と衣服の間、帽子と頭の間、靴と足の間,手と手袋の間などに滞った熱を通気孔により体外に排出することである。特に夏季のズボンの着用は、日射や体温により温度が上昇しズボン内に汗や匂いが溜まり、蒸れや不快感があった。帽子も日除けになっているが通気性が悪く、ズボンと同様に蒸れ暑いものである。帽子には空気穴が付いているが排気の効果は少なく、ズボンと同じくオリジナルの装飾性に乏しくお仕着せのファッションであって涼しく個性的なものが求められている。
【０００６】
本考案は課題解決のため、周知の効果と作用を有効に利用したものである。
直立時、裾が足首まであるズボンを履き、足首がズボン裾の前後の中央部にあるとした時、ズボン内の空気は脚を境に、向う脛側と脹脛（ふくらはぎ）側に凡そ二分される。歩行を始めて足を前に繰り出す、この時点からこの足が着地後暫くはズボンの裾の前方内側は足首の前方側に留まり閉まるようになるため、外気より高い温度のズボン内空気は逃げにくく、この動作間に向う脛側の空気は脹脛側に移動する。この足が着地後、他の足がこの足より前方に出て着地して体重移動をしている間、この足は後方側に蹴られ、ズボン裾の後方内側は足首の後方側に留まり、閉まるためズボン内空気は逃げにくくなり、この間に脹脛側の空気は前方の向う脛側に移動する。謂わば歩行することで脚によってズボン内の空気は煽られ、脚がポンプのピストン的作用をし暖気を煽っているのである。歩行してズボン内が涼しくならないのは、裾から暖気がズボン外に逃げていない証左である。元々ズボン内の暖気は通気孔を設ければ上方に吸引され煙突効果で排出されるもので、本考案は、この煙突効果と前述のポンプ作用との相乗効果を解決に利用したものである。
【課題を解決するための手段】
【０００７】
請求項１に係る通気孔を有す着脱可能な通気体は、衣服の任意箇所に不定形状の衣服側通気孔を設け、該中空の衣服側通気孔の周囲に面ファスナー雌を固着し装飾枠とする。前記面ファスナー雌に着脱される面ファスナー雄を周囲側に設け、内側部分にネットを有し装飾蓋としたことを特徴とする、通気孔を有す着脱可能な通気体である。
【０００８】
衣服内や帽子内の暖気や匂いをネット外に排出し、衣服内を快適にするものである。装飾枠の内側にネットを設け固着タイプとしてもよい。
【０００９】
請求項１に係る通気孔を有す着脱可能な通気体に利用する面ファスナーは、直線や曲線などが入り混ざった不定形状の雌雄の面ファスナーが利用される。通常市販の雌雄の面ファスナーはフックやループが全面に設けられているが、ここでは中空の雌雄の面ファスナーが利用される。
【００１０】
また、ここで不定形状とは、丸形や、楕円形、角形や数字、外国語のイニシアル、キャラクター、トランプカードの模様のハート形やダイヤ形などの形状や文字、数字をさす。
【００１１】
装飾枠、装飾蓋に設けた面ファスナーの雌雄の設置は逆であっても良い。本考案の通気孔を有す着脱可能な通気体は、ズボンに限らずシャツ、帽子やスポーツウエア、スニーカー、手袋などにも利用可能である。
【００１２】
請求項１に係る通気孔を有す着脱可能な通気体は、ネットを設けない装飾蓋、ネットを設けた装飾枠も含まれる。装飾蓋は着脱でき別洗いが可能で、洗濯時にネットから宝石風装飾体が剥離することはない。
【００１３】
請求項２に係る通気孔を有す着脱可能な通気体は、請求項１に記載の通気孔を有す着脱可能な通気体であって、前記ネットが十字に交叉した箇所に、裏面側は支持体に十字の切り込み部を設け、前記ネットの十字の交叉箇所に嵌合し、表面側は多面体の宝石風装飾体とし、多数個の集合で文字や動植物、漫画などのイラストを描くことができ、オリジナル模様に仕上げることができ、通気ができる装飾蓋となることを特徴とするものである。ネットへの取付けは接着剤を併用してもよい。
【００１４】
請求項３に係る通気孔を有す着脱可能な通気体は、請求項１に記載の通気孔を有す着脱可能な通気体であって、前記ネットが交叉した網目に、裏面側は支持体の先端部を膨大化して嵌め込み、表面側は多数個の多面体の宝石風装飾体で造形し、ネット面を飾りオリジナル模様に仕上げることができ、通気ができる装飾蓋となることを特徴とするものである。
【００１５】
請求項２、請求項３に係る通気孔を有す着脱可能な通気体は、請求項１から請求項３のいずれかに記載の通気孔を有す着脱可能な通気体において、宝石風装飾体の支持体に十字の切り込み部を設けたり、支持体の先端部を膨大化して宝石風装飾体をネットに嵌め込み取付けているが、支持体の先端部を膨大化し、十字の切り込みを設け両者を併せもつ支持体であってもよい。
【００１６】
装飾蓋の内側部分をネットでなく平板とし、宝石風装飾体の底部に両面テープを取付け、前記平板に貼り付けたり、接着剤による固着としてもよい。この時は平板に微小の孔を設けたり、面ファスナー雄の内側近傍に通気孔を設ける。
【００１７】
請求項４に係る通気孔を有す着脱可能な通気体は、衣服の任意箇所に不定形状の衣服側通気孔を設け、該衣服側通気孔の外周に縫い代を備え、内側部分にネットを有した装飾枠としたことを特徴とする、請求項１から請求項３のいずれかに記載の通気孔を有す着脱可能な通気体である。
【００１８】
請求項４に係る通気孔を有す着脱可能な通気体は、衣服の任意箇所に不定形状の衣服側通気孔と、該衣服側通気孔の外周に縫い代を設けるが、装飾枠に面ファスナー雌と縫い代を取付けてもよい。
【００１９】
請求項５に係る通気孔を有す着脱可能な通気体は、請求項１から請求項３のいずれかに記載の通気孔を有す着脱可能な通気体であって、衣服の任意箇所に不定形状の衣服側通気孔を設け、該衣服側通気孔の外周に熱着できる布帯を備えた装飾枠としたことを特徴とする。アイロンで熱着し衣服に装飾枠を取付けるのである。市販されているズボンの丈の長さを固定する裾テープと称されるもので、ポリアミド系樹脂を含ませたポリエステル系の布帯が利用されていることが多い。
【００２０】
請求項５に係る通気孔を有す着脱可能な通気体は、不定形状の装飾枠に面ファスナー雌と熱着できる布帯を設けてもよい。
【００２１】
請求項６に係る通気孔を有す着脱可能な通気体は、ズボンのベルト位置の内側と着衣の間に通気孔をもち可撓性を有す波板状通気体と、該波板状通気体をズボンの任意箇所の縁に係止できるフックを設けたことを特徴とするものである。該波板状通気体をズボンの内側の任意箇所に数ヶ所取付けても全周に取付けてもよい。帽子内の汗とり部分の全周や部分に取付けてもよい。また、スニーカーの足を挿入する入り口部分に取付けてもよい。
【００２２】
請求項６に係る通気孔を有す着脱可能な通気体は、波板状通気体であるが円柱型の通気体とし通気孔を設け、フックを取付けてもよい。
【考案の効果】
【００２３】
本考案によって、ズボンやシャツ、スポーツウエア、帽子、スニーカー、手袋などに通気孔を有す通気体を設けることにより、身体と着衣内の間に滞った暖気や湿気、匂いを体外に排出でき快適であり、廉価のジーンズやカジュアルな衣類などを一層際立たせ、自分の個性、好みに合った位置に任意の形状やイニシアル、数字など色彩やデザイン、イラスト、キャラクターが宝石風装飾体で表現ができ、着脱や取替え交換が可能な個性的なオリジナルの装飾蓋となるのである。
【考案を実施するための形態】
【実施例１】
【００２４】
本考案の請求項１に採用された通気孔を有す着脱可能な通気体の構成は下記の如くである。
【００２５】
図１に示すように衣服側通気孔４の周囲に面ファスナー雌５を固着し、衣服１に取付ける装飾枠３として構成される。装飾枠３にネット８を設けて直接に多面体の宝石風装飾体７を取付けてもよい。  
【００２６】
図２に示す様に、装飾蓋２は面ファスナー雄６を周囲に有し内側にネット８を設けてあり、ネット８の網目が装飾蓋側通気孔４aとなる。図１の装飾枠３に設けた面ファスナー雌５に、装飾蓋２の面ファスナー雄６を密着し取付ける。  
【００２７】
前記のように、装飾蓋２にネット８を取付けただけの構成が請求項１であるが、ここでは、本考案の請求項２に採用された宝石風装飾体７のネット８への取付けも第１実施形態として説明する。装飾蓋２に張られたネット８の交叉部分に、図３で示す支持体１４に設けた切り込み部９を嵌め込み、表面が多面体の宝石風装飾体７を固定する。衣類１の洗濯時の装飾蓋２の着脱は、面ファスナー雌雄５，６で密着された装飾蓋２を衣服１側から引き剥がすように行う。
【００２８】
宝石風装飾体７の固定に切り込み部９に接着剤を利用してもよい。ネット８は透明、ピンク、黒など彩色を施したものも利用してもよい。また、宝石風装飾体７に彩色したり、多面体の形状とする事で、輝き煌びやかになり個性的な持ち物となると同時に、網目部分の装飾蓋側通気孔４ａから体外への排気がなされ、服内や夏の暑さを快適にできるのである。
【実施例２】
【００２９】
第１実施形態では切り込み部９を設けた支持体１４をネット８が十字に交叉した部分に嵌合したが、ここでは図４に示すように裏面側の支持体１４の先端を大きく膨大部１５とし、ネット８の交叉した装飾蓋側通気孔４ａに嵌め込み宝石風装飾体７を固定する。第１実施形態との相違点はこの点である。
【００３０】
また宝石風装飾体７の裏面の支持体１４の先端を大きくした膨大部１５とし、第１実施形態１のように切り込み部９をも設け、両者を併せもった支持体１４構造としてもよい。
【実施例３】
【００３１】
図５は、装飾蓋２にネット８を設けず、市販されている宝石風装飾体７の底部に両面テープを有したり、接着剤で取付ける宝石風装飾体７を装飾蓋２に取付けたものである。市販されている宝石風装飾体７は携帯電話などの外面の装飾に利用されているが、洗濯を伴う衣類には不向きである。膨大部１５や切り込み部９を設け、容易に外れない宝石風装飾体７を装飾蓋２に取付け、着脱でき、別洗いできる装飾蓋２とした本考案が使い勝手がよい。
【００３２】
図５は市販されている宝石風装飾体７にて装飾蓋２を飾ったものである。通気は装飾蓋側通気孔４aにて行われ、装飾蓋２に設けた面ファスナー雄６にて、装飾枠３の面ファスナー雌５に密着させ取付けるものである。図面の右端部は装飾蓋２の裏面側の面ファスナー雄６を示す。
【実施例４】
【００３３】
請求項４に採用された通気孔を有す着脱可能な通気体の構成について記す。
衣服の任意箇所に不定形状の衣服側通気孔４を設け、該衣服側通気孔４の外周に縫い代１６を備え、内側部分にネット８を有した装飾枠３の構成である。
【００３４】
図６は、縫い代１６を備えた縫製装飾枠２aの図である。衣類１に設けた通気孔に縫製装飾枠２aをじかに取付け、面ファスナーによる着脱は出来ないタイプでネット８を備えている。縫い代１６の近傍に面接着テープ雌５を設ければ、装飾蓋２に着脱できるタイプとしても利用できるものである。
【実施例５】
【００３５】
請求項５に採用された通気孔を有す着脱可能な通気体の構成について記す。
衣服の任意箇所に不定形状の衣服側通気孔４を設け、該衣服側通気孔４の外周に熱着できる布帯を備え、内側部分にネット８を有した装飾枠３とする構成である。
【００３６】
衣類１に設けた衣服側通気孔４の外周に、アイロンで熱着できる布帯を設け衣服側通気孔４に取付け装飾枠３とするものである。ズボン１０の丈を固定するのに用いられるポリアミド系樹脂を含ませたポリエステル系の布帯が多く利用されている。ジーンズなどにも利用でき丈夫である。
【００３７】
熱着できる布帯の近傍に面接着テープ雌５を設ければ、装飾蓋２に着脱できるタイプとしても利用できるものである。
【実施例６】
【００３８】
請求項６に採用された通気孔を有す着脱可能な通気体について記す。
図７の波板状通気体１１は可撓性を有し波板通気孔１３を備えている。図８に示すように、ズボン１０の縁にフック１２で取付ける構造である。体内の暖気は波板状の凹み部分から体外へと排出される。また、靴の内側部に取付けても同様の効果を得る。
【００３９】
波板状通気体１１は、ズボン１０のベルト位置の内側の全周、または部分に用いることができる。
【００４０】
帽子の内側に設けてある汗取りとしても利用することが可能で、汗取りの代わりに通気孔を有す通気体として帽子の内側の全周に取付けても、部分的に取付けてもよい。
【図面の簡単な説明】
【００４１】
【図１】本考案の通気孔を有す着脱可能な通気体の装飾枠を衣服に取付けた図。
【図２】本考案の通気孔を有す着脱可能な通気体の装飾蓋を裏側から見た図。
【図３】支持体に切り込み部を設けた宝石風装飾体を裏側から見た図。
【図４】支持体に膨大部を有す宝石風装飾体を裏側から見た図。
【図５】装飾蓋の周囲に通気孔を設けた装飾蓋の図。図面右は一部裏面を表した図。
【図６】本考案の請求項４に記載の縫製装飾枠を示す図。
【図７】本考案の請求項６に記載の通気孔を有す着脱可能な通気体の図。
【図８】ズボンに装飾蓋、波状通気体を取付けた図。
【符号の説明】
【００４２】
１   衣服  
２   装飾蓋  
２a  縫製装飾枠
３   装飾枠      
４   衣服側通気孔  
４a  装飾蓋側通気孔    
５   面ファスナー雌    
６   面ファスナー雄      
７   宝石風装飾体     
８   ネット        
９   切り込み部
１０ ズボン
１１ 波板状通気体
１２ フック
１３ 波板通気孔    
１４ 支持体
１５ 膨大部
１６ 縫い代                
【図１】
0003166330.tif 000003
【図２】
0003166330.tif 000004
【図３】
0003166330.tif 000005
【図４】
0003166330.tif 000006
【図５】
0003166330.tif 000007
【図６】
0003166330.tif 000008
【図７】
0003166330.tif 000009
【図８】
0003166330.tif 000010
【手続補正書】
【提出日】平成22年12月15日(2010.12.15)
【手続補正１】
【補正対象書類名】実用新案登録請求の範囲
【補正対象項目名】全文
【補正方法】変更
【補正の内容】
【実用新案登録請求の範囲】
【請求項１】
衣服の任意箇所に不定形状の衣服側通気孔と、該衣服側通気孔の周囲に面ファスナー雌を固着した装飾枠とし、前記面ファスナー雌に着脱される面ファスナー雄を周囲側に設け
、且つ内側部分にネットを有し装飾蓋としたことを特徴とする、
通気孔を有す着脱可能な通気体。
【請求項２】
前記ネットが十字に交叉した箇所に、裏面側は支持体に十字の切り込みを設けネットに嵌合し、表面側は宝石風装飾体とし装飾蓋となることを特徴とする、請求項１に記載の通気孔を有す着脱可能な通気体。
【請求項３】
前記ネットが交叉してつくられ網目に、裏面側は支持体の先端部を膨大化してネットに嵌め込み、表面側は宝石風装飾体とし装飾蓋となることを特徴とする、請求項１に記載の通気孔を有す着脱可能な通気体。
【請求項４】
衣服の任意箇所に不定形状の衣服側通気孔と、該衣服側通気孔の外周に縫い代を備え、内側部分にネットを有した装飾枠としたことを特徴とする、請求項１から請求項３のいづれかに記載の通気孔を有す着脱可能な通気体。
【請求項５】
衣服の任意箇所に不定形状の衣服側通気孔を設け、該衣服側通気孔の外周に熱着できる布帯を備え、内側部分にネットを有した装飾枠としたことを特徴とする、請求項１から請求項３のいづれかに記載の通気孔を有す着脱可能な通気体。